(57)【要約】【課題】計測における操作性を向上させるとともに、誤診を防止する。【解決手段】医用画像を表示部のモニタ画面に表示させ、医用画像上の２点間の距離を算出する画像計測装置において、モニタ画面に表示された医用画像上に補助線Ｌを描画し、医用画像上の補助線Ｌに対応する部分の距離を算出し、算出された距離の値を計測結果表示領域５１に表示するとともに、補助線Ｌの中点と計測結果表示領域５１の中心点とを結ぶ引出し線５２のうち、計測結果表示領域５１と重ならない部分を描画する。【選択図】図６
2009232982.tif 000002
【特許請求の範囲】
【請求項１】
医用画像を表示手段のモニタ画面に表示させ、当該表示された医用画像から計測結果を算出する画像計測装置であって、
前記モニタ画面に表示された医用画像において計測用の補助線を描画する位置を指定するための操作手段と、
前記モニタ画面に表示された医用画像上に前記補助線を前記操作手段からの操作に基づいて描画し、当該描画された補助線に基づいて前記計測結果を算出し、当該算出された計測結果を前記モニタ画面に表示させる制御手段と、
を備え、
前記制御手段は、更に、前記補助線と前記計測結果の表示領域とを結ぶ引出し線を前記モニタ画面に描画する画像計測装置。
【請求項２】
前記計測結果は、前記モニタ画面に表示された医用画像上の前記補助線に対応する部分の距離である、
請求項１に記載の画像計測装置。
【請求項３】
前記計測結果は、前記補助線が複数描画された場合の当該複数の補助線のうち二つの補助線のなす角度である、
請求項１に記載の画像計測装置。
【請求項４】
前記計測結果は、前記補助線が複数描画された場合の当該複数の補助線のうち二つの補助線の長さの割合である、
請求項１に記載の画像計測装置。
【請求項５】
医用画像を保存する画像サーバ装置と、当該画像サーバ装置から取得した医用画像を表示手段のモニタ画面に表示させ、当該表示された医用画像から計測結果を算出する画像計測装置とが通信ネットワークを介してデータ通信可能に接続された医用画像システムであって、
前記画像計測装置は、
前記モニタ画面に表示された医用画像において計測用の補助線を描画する位置を指定するための操作手段と、
前記モニタ画面に表示された医用画像上に前記補助線を前記操作手段からの操作に基づいて描画し、当該描画された補助線に基づいて前記計測結果を算出し、当該算出された計測結果を前記モニタ画面に表示させる制御手段と、
を備え、
前記制御手段は、更に、前記補助線と前記計測結果の表示領域とを結ぶ引出し線を前記モニタ画面に描画する医用画像システム。
【請求項６】
医用画像を表示手段のモニタ画面に表示させ、当該表示された医用画像から計測結果を算出するコンピュータを、
前記モニタ画面に表示された医用画像において計測用の補助線を描画する位置を指定するための操作手段、
前記モニタ画面に表示された医用画像上に前記補助線を前記操作手段からの操作に基づいて描画し、当該描画された補助線に基づいて前記計測結果を算出し、当該算出された計測結果を前記モニタ画面に表示させる制御手段、
として機能させるためのプログラムであって、
前記制御手段は、更に、前記補助線と前記計測結果の表示領域とを結ぶ引出し線を前記モニタ画面に描画するプログラム。
【発明の詳細な説明】
【技術分野】
【０００１】
本発明は、画像計測装置、医用画像システム及びプログラムに関する。
【背景技術】
【０００２】
従来、整形外科等の医療分野の診断において、Ｘ線等の放射線により患者を撮影した画像が用いられている。医師は、フィルムに出力した放射線画像を観察読影するとともに、診断に用いる数値や角度を得るために放射線画像上に計測すべき位置を赤鉛筆等でマーキングし、定規や分度器等の計測器具を用いてマーキングされた位置の距離や角度等を計測する。
【０００３】
近年、医療分野においてもデジタル化が進み、病院内で生成される放射線画像は、ほとんどがデジタル画像としてワークステーション又はＰＡＣＳ（Picture Archiving and Communication System）で保存されている。デジタル画像の場合、画像をモニタ画面上に表示させ、この画面上で計測に用いる線（以下、補助線という。）を手動又は自動で指定することによって、距離や角度等の計測を自動化したり、一度引いた補助線を移動したりすることができるため、医師や放射線技師等の計測に要する負担を大幅に軽減させることが可能となった。
【０００４】
また、医用画像から計測された距離や角度等の値（計測結果）も、モニタ画面上に表示される。通常は、モニタ画面上で補助線と計測結果とを別々に移動することができるようになっており、診断に影響のない位置に計測結果を配置することが可能となっている。
【０００５】
また、医用画像から診断に用いるための特徴を示す角度を計測する場合には、角度を形成する２直線の位置を指定する必要がある。描画した２直線の位置を後から調整する際に、一対（ペア）でのみ調整を許可することとすると、一方の直線だけを引き直したり、移動させたりすることができない。そこで、表示部に表示された医用画像上に複数の直線を描画し、描画した２本の直線間の角度を計測する画像計測装置において、描画された各直線を独立して変更・編集・削除することができる技術が提案されている（特許文献１参照）。
【特許文献１】特開２００６−１９２１０４号公報
【発明の開示】
【発明が解決しようとする課題】
【０００６】
しかし、補助線と計測結果とを別々に移動した結果、補助線とその補助線に対応する計測結果とが離れた位置に配置されてしまった場合には、それらの対応関係がわかりづらくなるという問題があった。
【０００７】
図２０（ａ）に示す例では、モニタ画面上に、補助線Ｔ１，Ｔ２，Ｔ３，Ｔ４が描画され、補助線Ｔ１と補助線Ｔ２とのなす角度として「23.4°」という計測結果１０１が表示され、補助線Ｔ３と補助線Ｔ４とのなす角度として「38.2°」という計測結果１０２が表示されている。この状態で、図２０（ｂ）に示すように、補助線Ｔ１及び補助線Ｔ２からなる補助線対と、補助線Ｔ３及び補助線Ｔ４からなる補助線対との位置を入れ替えた場合には、補助線Ｔ１及び補助線Ｔ２からなる補助線対に計測結果１０２が対応し、補助線Ｔ３及び補助線Ｔ４からなる補助線対に計測結果１０１が対応していると誤認するおそれがあった。
【０００８】
また、ＰＡＣＳは、登録された複数のユーザによって利用されるため、補助線を描画したユーザ以外のユーザが、補助線が描画された状態の画像を参照する場合もあり、各補助線と計測結果との対応関係を認識することができない場合があった。また、補助線とその補助線に対応する計測結果とが離れた位置に配置された状態で紙にプリントされたり、イメージャにより出力されたりした場合にも、補助線と計測結果との対応関係を認識することは困難であった。
【０００９】
本発明は、上記の従来技術における問題に鑑みてなされたものであって、計測における操作性を向上させるとともに、誤診を防止することを課題とする。
【課題を解決するための手段】
【００１０】
上記課題を解決するために、請求項１に記載の発明は、医用画像を表示手段のモニタ画面に表示させ、当該表示された医用画像から計測結果を算出する画像計測装置であって、前記モニタ画面に表示された医用画像において計測用の補助線を描画する位置を指定するための操作手段と、前記モニタ画面に表示された医用画像上に前記補助線を前記操作手段からの操作に基づいて描画し、当該描画された補助線に基づいて前記計測結果を算出し、当該算出された計測結果を前記モニタ画面に表示させる制御手段と、を備え、前記制御手段は、更に、前記補助線と前記計測結果の表示領域とを結ぶ引出し線を前記モニタ画面に描画する。
【００１１】
請求項２に記載の発明は、請求項１に記載の画像計測装置において、前記計測結果は、前記モニタ画面に表示された医用画像上の前記補助線に対応する部分の距離である。
【００１２】
請求項３に記載の発明は、請求項１に記載の画像計測装置において、前記計測結果は、前記補助線が複数描画された場合の当該複数の補助線のうち二つの補助線のなす角度である。
【００１３】
請求項４に記載の発明は、請求項１に記載の画像計測装置において、前記計測結果は、前記補助線が複数描画された場合の当該複数の補助線のうち二つの補助線の長さの割合である。
【００１４】
請求項５に記載の発明は、医用画像を保存する画像サーバ装置と、当該画像サーバ装置から取得した医用画像を表示手段のモニタ画面に表示させ、当該表示された医用画像から計測結果を算出する画像計測装置とが通信ネットワークを介してデータ通信可能に接続された医用画像システムであって、前記画像計測装置は、前記モニタ画面に表示された医用画像において計測用の補助線を描画する位置を指定するための操作手段と、前記モニタ画面に表示された医用画像上に前記補助線を前記操作手段からの操作に基づいて描画し、当該描画された補助線に基づいて前記計測結果を算出し、当該算出された計測結果を前記モニタ画面に表示させる制御手段と、を備え、前記制御手段は、更に、前記補助線と前記計測結果の表示領域とを結ぶ引出し線を前記モニタ画面に描画する。
【００１５】
請求項６に記載の発明は、医用画像を表示手段のモニタ画面に表示させ、当該表示された医用画像から計測結果を算出するコンピュータを、前記モニタ画面に表示された医用画像において計測用の補助線を描画する位置を指定するための操作手段、前記モニタ画面に表示された医用画像上に前記補助線を前記操作手段からの操作に基づいて描画し、当該描画された補助線に基づいて前記計測結果を算出し、当該算出された計測結果を前記モニタ画面に表示させる制御手段、として機能させるためのプログラムであって、前記制御手段は、更に、前記補助線と前記計測結果の表示領域とを結ぶ引出し線を前記モニタ画面に描画するプログラムである。
【発明の効果】
【００１６】
請求項１、５、６に記載の発明によれば、補助線と計測結果の表示領域とを引出し線で結ぶことにより、補助線と計測結果とを対応付けるので、計測における操作性を向上させるとともに、誤診を防止することができる。
【００１７】
請求項２に記載の発明によれば、距離の計測における操作性を向上させるとともに、誤診を防止することができる。
【００１８】
請求項３に記載の発明によれば、角度の計測における操作性を向上させるとともに、誤診を防止することができる。
【００１９】
請求項４に記載の発明によれば、二つの補助線の長さの割合の計測における操作性を向上させるとともに、誤診を防止することができる。
【発明を実施するための最良の形態】
【００２０】
［第１の実施の形態］
まず、本発明に係る医用画像システムの第１の実施の形態について説明する。
第１の実施の形態では、計測対象が医用画像上の２点間の距離である場合について説明する。
【００２１】
図１に、第１の実施の形態における医用画像システム１００のシステム構成を示す。図１に示すように、医用画像システム１００では、ＲＩＳ（Radiological Information System：放射線情報システム）１０、モダリティ２０、画像サーバ装置３０及び画像計測装置４０が、ネットワークＮを介してデータ通信可能に接続されている。
【００２２】
ＲＩＳ１０は、放射線科部門内における診療予約、診断結果のレポート、実績管理、材料在庫管理等の情報管理を行う。ＲＩＳ１０は、撮影や診断の内容を示す検査オーダ情報を生成し、モダリティ２０に送信する。
【００２３】
モダリティ２０は、ＲＩＳ１０から送信された検査オーダ情報に基づいて、患者を撮影し、医用画像の画像データを生成する画像生成装置である。モダリティ２０は、画像データを画像サーバ装置３０に送信する。モダリティ２０としては、ＣＲ（Computed Radiography）装置、ＣＴ（Computed Tomography）装置、ＭＲＩ（Magnetic Resonance Imaging）装置等が用いられる。
【００２４】
画像サーバ装置３０は、ＰＡＣＳにより構成され、モダリティ２０から受信した医用画像の画像ファイル３６１（図２参照）を保存し、画像計測装置４０等の外部機器からの要求に応じて画像ファイル３６１を提供する。
【００２５】
図２に、画像サーバ装置３０の機能的構成を示す。図２に示すように、画像サーバ装置３０は、制御部３１、操作部３２、表示部３３、通信部３４、ＲＯＭ（Read Only Memory）３５、記憶部３６を備えて構成され、各部はバス３７により接続されている。
【００２６】
制御部３１は、ＣＰＵ（Central Processing Unit）、ＲＡＭ（Random Access Memory）等から構成され、画像サーバ装置３０の各部の処理動作を統括的に制御する。具体的には、ＣＰＵは、操作部３２から入力される操作信号又は通信部３４により受信される指示信号に応じて、ＲＯＭ３５に記憶されている各種処理プログラムを読み出し、ＲＡＭ内に形成されたワークエリアに展開し、当該プログラムとの協働により各種処理を行う。
【００２７】
操作部３２は、カーソルキー、数字入力キー、及び各種機能キー等を備えたキーボードと、マウス等のポインティングデバイスを備えて構成され、キーボードに対するキー操作やマウス操作により入力された操作信号を制御部３１に出力する。
【００２８】
表示部３３は、ＬＣＤ（Liquid Crystal Display）により構成され、制御部３１から入力される表示データに基づいて各種画面を表示する。
【００２９】
通信部３４は、ＲＩＳ１０、モダリティ２０、画像計測装置４０等の外部機器との間でデータの送受信を行うインターフェースである。
【００３０】
ＲＯＭ３５は、不揮発性の半導体メモリ等により構成され、制御プログラム、当該プログラムの実行に必要なパラメータやファイル等を記憶している。
【００３１】
記憶部３６は、ハードディスク等により構成され、各種データを記憶する。具体的には、記憶部３６には、画像ファイル３６１、画像処理条件ファイル３６２、ＤＢ（Data Base）３６３等が記憶される。
【００３２】
画像ファイル３６１は、モダリティ２０から受信した医用画像の画像データのファイルである。画像ファイル３６１として、例えば、頚椎、心臓、胸郭を撮影した医用画像のファイルが保存されている。
【００３３】
画像処理条件ファイル３６２は、画像処理条件を保存するためのファイルである。画像処理条件には、階調処理、拡大率、アノテーションの種類、補助線の描画位置を示す座標、線の太さ、線種（実線、破線等）、引出し線の描画位置を示す座標、計測結果、計測結果の表示位置を示す座標等の情報が含まれる。第１の実施の形態では、計測結果として距離が保存される。なお、画像処理条件には、システム独自の画像処理条件の他、ＤＩＣＯＭ（Digital Imaging and Communications in Medicine）規格のＧＳＰＳ（Grayscale Softcopy Presentation State）準拠の画像の表示状態を示すパラメータが含まれていてもよい。
【００３４】
ＤＢ３６３は、医用画像とその医用画像に施されている画像処理条件とを対応付けるためのものであり、画像テーブル３６４、画像処理条件テーブル３６５を含む。画像テーブル３６４には、画像ファイル３６１のそれぞれに対して、画像処理条件テーブル３６５の外部キーが設定されている。画像処理条件テーブル３６５には、画像テーブル３６４において参照されるキーのそれぞれに対して、画像処理条件ファイル３６２のパスが対応付けられている。
【００３５】
制御部３１は、画像計測装置４０から画像ファイル３６１の取得要求があった場合に、要求された画像ファイル３６１を記憶部３６から読み出し、画像計測装置４０に送信する。また、制御部３１は、画像計測装置４０から画像処理条件を受信した場合に、受信した画像処理条件を画像処理条件ファイル３６２に保存し、画像ファイル３６１との対応関係をＤＢ３６３に登録する。
【００３６】
画像計測装置４０は、画像サーバ装置３０から取得した医用画像を表示させ、当該医用画像の診断に用いる数値や角度等の計測結果を算出するための装置であって、ＰＣ（Personal Computer）等から構成される。例えば、画像計測装置４０は、頚椎、心臓、胸郭等の医用画像上の任意の２点間の距離を算出する。
【００３７】
図３に、画像計測装置４０の機能的構成を示す。図３に示すように、画像計測装置４０は、制御部４１、操作部４２、表示部４３、通信部４４、ＲＯＭ４５、記憶部４６を備え、各部はバス４７により接続されている。
【００３８】
制御部４１は、ＣＰＵ、ＲＡＭ等から構成され、画像計測装置４０の各部の処理動作を統括的に制御する。具体的には、ＣＰＵは、操作部４２から入力される操作信号又は通信部４４により受信される指示信号に応じて、ＲＯＭ４５に記憶されている各種処理プログラムを読み出し、ＲＡＭ内に形成されたワークエリアに展開し、当該プログラムとの協働により各種処理を行う。
【００３９】
操作部４２は、カーソルキー、数字入力キー、及び各種機能キー等を備えたキーボードと、マウス等のポインティングデバイスを備えて構成され、キーボードに対するキー操作やマウス操作により入力された操作信号を制御部４１に出力する。操作部４２は、表示部４３のモニタ画面に表示された医用画像において距離計測用の補助線Ｌ（図６（ｃ）参照）を描画する位置を指定する際に用いられる。
【００４０】
表示部４３は、ＬＣＤにより構成され、制御部４１から入力される表示データに基づいて各種画面を表示する。具体的には、表示部４３は、医用画像を表示する。
【００４１】
通信部４４は、画像サーバ装置３０等の外部機器との間でデータの送受信を行うインターフェースである。
【００４２】
ＲＯＭ４５は、不揮発性の半導体メモリ等により構成され、制御プログラム、当該プログラムの実行に必要なパラメータやファイル等を記憶している。
【００４３】
記憶部４６は、ハードディスク等により構成され、各種データを記憶する。
【００４４】
制御部４１は、通信部４４を介して、画像サーバ装置３０に対して、記憶部３６に記憶されている医用画像の画像ファイル３６１の取得要求を送信し、画像サーバ装置３０から医用画像の画像ファイル３６１を取得する。制御部４１は、取得した医用画像の画像ファイル３６１に基づいて、表示部４３のモニタ画面に医用画像を表示させる。
【００４５】
制御部４１は、操作部４２のマウスからの操作に基づいて、表示部４３のモニタ画面に表示された医用画像上に補助線Ｌを描画する。
【００４６】
制御部４１は、描画された補助線Ｌに基づいて、医用画像上の補助線Ｌに対応する部分の距離を算出する。そして、制御部４１は、算出された計測結果（距離の値）を表示部４３のモニタ画面に表示させる。
【００４７】
制御部４１は、補助線Ｌと計測結果の表示領域（以下、計測結果表示領域という。）５１とを結ぶ引出し線５２を表示部４３のモニタ画面に描画する（図６（ｃ）参照）。
【００４８】
なお、補助線Ｌ、引出し線５２、計測結果表示領域５１等の位置を示す際には、画像座標系における座標（ｘ，ｙ）を用いる。画像座標系とは、画像ファイル３６１に固有の画像上における座標系をいう。
【００４９】
次に、動作を説明する。
図４は、画像サーバ装置３０において実行される画像提供処理を示すフローチャートである。この処理は、画像計測装置４０に対して計測対象となる医用画像を提供する処理であって、制御部３１のＣＰＵと、ＲＯＭ３５に記憶されているプログラムとの協働によるソフトウェア処理によって実現される。
【００５０】
まず、通信部３４により、画像計測装置４０から画像ファイル３６１の取得要求が受信された場合には（ステップＡ１；ＹＥＳ）、制御部３１により、要求された画像ファイル３６１が記憶部３６から読み出され、通信部３４を介して画像計測装置４０に送信される（ステップＡ２）。
【００５１】
次に、通信部３４により、画像計測装置４０から画像処理条件が受信された場合には（ステップＡ３；ＹＥＳ）、制御部３１により、受信した画像処理条件が記憶部３６の画像処理条件ファイル３６２に保存され、計測対象の画像ファイル３６１との対応関係がＤＢ３６３に登録される（ステップＡ４）。
以上で、画像提供処理が終了する。
【００５２】
図５は、画像計測装置４０において実行される画像計測処理αを示すフローチャートである。この処理は、制御部４１のＣＰＵと、ＲＯＭ４５に記憶されているプログラムとの協働によるソフトウェア処理によって実現される。
【００５３】
まず、操作部４２からの操作により、計測対象となる医用画像の画像ファイル３６１が選択され、制御部４１の制御に従って、通信部４４により、画像サーバ装置３０に対して、選択された医用画像の画像ファイル３６１の取得要求が送信される。そして、制御部４１により、通信部４４を介して、画像サーバ装置３０から医用画像の画像ファイル３６１が取得される（ステップＢ１）。そして、制御部４１により、取得された医用画像の画像ファイル３６１に基づいて、表示部４３のモニタ画面に医用画像が表示される（ステップＢ２）。
【００５４】
次に、図６（ａ）に示すように、補助線Ｌの始点となる位置にマウスカーソルＭＣが置かれた状態でユーザにより操作部４２のマウスボタンが押下され、補助線Ｌの始点位置が指定されると、制御部４１により、マウスボタンが押下された位置に対応する画像座標系における座標が取得され、１点目の座標が決定される（ステップＢ３）。
【００５５】
次に、図６（ｂ）に示すように、補助線Ｌの終点となる位置にマウスカーソルＭＣが置かれた状態でユーザにより操作部４２のマウスボタンが押下され、補助線Ｌの終点位置が指定されると、制御部４１により、マウスボタンが押下された位置に対応する画像座標系における座標が取得され、２点目の座標が決定される（ステップＢ４）。
【００５６】
次に、図６（ｃ）に示すように、制御部４１により、表示部４３のモニタ画面に表示された医用画像上に、１点目の座標（画像座標系）と２点目の座標（画像座標系）とを結ぶ補助線Ｌが描画される（ステップＢ５）。そして、制御部４１により、描画された補助線Ｌに基づいて、医用画像上の補助線Ｌに対応する部分の距離が算出され（ステップＢ６）、算出された計測結果（距離の値）が表示部４３のモニタ画面に表示される（ステップＢ７）。図６（ｃ）に示す例では、計測結果表示領域５１に、補助線Ｌに対応する部分の距離の値が「17.4ｍｍ」と表示されている。計測結果表示領域５１の位置は、予め定められていてもよいし、補助線Ｌの位置に応じて定められてもよい。例えば、画像座標系において、補助線Ｌの中点から予め定められた方向に予め定められた距離だけ離れた位置に、計測結果表示領域５１の中心点が配置されるように計測結果を表示することとしてもよい。
【００５７】
次に、制御部４１により、補助線Ｌの中点の画像座標系における座標が取得される（ステップＢ８）。次に、制御部４１により、計測結果表示領域５１の中心点の画像座標系における座標が取得される（ステップＢ９）。
【００５８】
次に、制御部４１により、補助線Ｌの中点（画像座標系）と計測結果表示領域５１の中心点（画像座標系）とを結ぶ引出し線５２が算出され（ステップＢ１０）、図６（ｃ）に示すように、引出し線５２のうち、計測結果表示領域５１と重ならない部分が描画される（ステップＢ１１）。
【００５９】
次に、制御部４１により、画像処理条件を保存するか否かが判断される（ステップＢ１２）。例えば、操作部４２からの操作により、表示部４３のモニタ画面上で保存ボタンが選択された場合には、画像処理条件が保存される。
【００６０】
画像処理条件を保存する場合には（ステップＢ１２；ＹＥＳ）、制御部４１により、描画された補助線Ｌの始点及び終点を示す座標（画像座標系）、計測結果（距離の値）、計測結果の表示位置を示す座標（画像座標系）、引出し線５２の始点及び終点を示す座標（画像座標系）等の画像処理条件が画像サーバ装置３０に送信される（ステップＢ１３）。画像処理条件を保存しない場合には（ステップＢ１２；ＮＯ）、そのまま処理が終了する。
以上で、画像計測処理αが終了する。
【００６１】
以上説明したように、第１の実施の形態によれば、補助線Ｌと計測結果表示領域５１とを引出し線５２で結ぶことにより、補助線Ｌと計測結果とを対応付けるので、距離の計測における操作性を向上させるとともに、誤診を防止することができる。
【００６２】
また、医用画像上に補助線Ｌ、計測結果及び引出し線５２が描画された状態で紙やフィルムに出力した場合にも、補助線Ｌと計測結果との対応関係を認識することができる。
【００６３】
なお、第１の実施の形態では、図６（ｃ）に示すように、補助線Ｌの中点と計測結果表示領域５１の中心点とを結ぶ引出し線５２を描画することとしたが、図７（ａ）に示すように、補助線Ｌの始点Ｓ０と計測結果表示領域５１の中心点とを結ぶ引出し線５２を描画することとしてもよいし、図７（ｂ）に示すように、補助線Ｌの終点Ｅ０と計測結果表示領域５１の中心点とを結ぶ引出し線５２を描画することとしてもよい。
【００６４】
［第２の実施の形態］
次に、本発明を適用した第２の実施の形態について説明する。
第２の実施の形態における医用画像システムは、第１の実施の形態に示した医用画像システム１００と同様の構成によってなるため、同一の構成部分については同一の符号を付し、その構成については図示及び説明を省略する。以下、第２の実施の形態に特徴的な構成及び処理について説明する。
【００６５】
第２の実施の形態では、計測対象がコブ角である場合について説明する。コブ角は、側弯症の診断に用いられる。側弯症とは、脊柱が側方へ曲がる病気である。高度の側弯では、胸郭が著しく変形し、そのため肺の機能が低下する。コブ角が２５度未満の場合は３か月毎の経過観察、２５〜４０度の場合は装具療法が必要で季節休暇毎の観察、５０〜６０度以上の場合は手術療法等、コブ角が治療の目安となる。
【００６６】
コブ角とは、脊椎において側弯を示している部分（湾曲部）の上下端にある終椎（傾斜角の最も大きな椎体）の上位終椎の上面と下位終椎の下面のなす角度をいう。具体的には、図８に示すように、脊椎を人体の正面から撮影した画像（以下、正面脊椎画像という。）をモニタ画面に表示させ、モニタ画面上で湾曲部の上位終椎の軸方向上端に沿って第一補助線Ｌ１を引き、下位終椎の軸方向下端に沿って第二補助線Ｌ２を引き、第一補助線Ｌ１と第二補助線Ｌ２とのなす角度θを計測する。
【００６７】
画像サーバ装置３０の記憶部３６には、画像ファイル３６１として、正面脊椎画像のファイルが保存されている。画像処理条件ファイル３６２には、更に、正面脊椎画像から算出されたコブ角の値が含まれる。
【００６８】
画像計測装置４０の操作部４２は、表示部４３のモニタ画面に表示された正面脊椎画像においてコブ角計測用の補助線を描画する位置を指定する際に用いられる。表示部４３は、正面脊椎画像等の医用画像を表示する。
【００６９】
制御部４１は、正面脊椎画像の画像ファイル３６１を取得し、表示部４３のモニタ画面に正面脊椎画像を表示させる。
【００７０】
制御部４１は、操作部４２のマウスからの操作に基づいて、表示部４３のモニタ画面に表示された正面脊椎画像の湾曲部の上位終椎の軸方向上端に沿って第一補助線Ｌ１を描画し、下位終椎の軸方向下端に沿って第二補助線Ｌ２を描画する（図１１（ｅ）参照）。
【００７１】
制御部４１は、描画された第一補助線Ｌ１及び第二補助線Ｌ２に基づいて、第一補助線Ｌ１と第二補助線Ｌ２とのなす角度（コブ角）を算出する。ここで、図９（ａ）〜（ｃ）を参照して、第一補助線Ｌ１及び第二補助線Ｌ２が描画された場合の、計測対象角について説明する。
【００７２】
図９（ａ）に示すように、始点Ｓ１及び終点Ｅ１が指定されて第一補助線Ｌ１が描画され、始点Ｓ２及び終点Ｅ２が指定されて第二補助線Ｌ２が描画された場合には、第一補助線Ｌ１と第二補助線Ｌ２とのなす角度であって、第一補助線Ｌ１と第二補助線Ｌ２の交点を基準として各補助線の始点Ｓ１，Ｓ２側の角度θ１が計測対象角となる。図９（ａ）は、計測対象角が鋭角の場合の例である。
【００７３】
図９（ｂ）に示すように、始点Ｓ３及び終点Ｅ３が指定されて第一補助線Ｌ１が描画され、始点Ｓ４及び終点Ｅ４が指定されて第二補助線Ｌ２が描画された場合も同様に、第一補助線Ｌ１と第二補助線Ｌ２とのなす角度であって、第一補助線Ｌ１と第二補助線Ｌ２の交点を基準として各補助線の始点Ｓ３，Ｓ４側の角度θ２が計測対象角となる。図９（ｂ）は、計測対象角が鈍角の場合の例である。
【００７４】
図９（ｃ）は、第一補助線Ｌ１と第二補助線Ｌ２とが交差していない場合の例である。図９（ｃ）に示すように、始点Ｓ５及び終点Ｅ５が指定されて第一補助線Ｌ１が描画され、始点Ｓ６及び終点Ｅ６が指定されて第二補助線Ｌ２が描画された場合には、第一補助線Ｌ１を終点Ｅ５側に延長し、第二補助線Ｌ２を終点Ｅ６側に延長して、各延長線のなす角度θ３が計測対象角となる。
【００７５】
図９（ａ）〜（ｃ）のいずれの場合においても、描画された第一補助線Ｌ１又は第二補助線Ｌ２を平行移動させて第一補助線Ｌ１の終点位置と第二補助線Ｌ２の終点位置を一致させた後に、第一補助線Ｌ１の始点、第一補助線Ｌ１の終点（第二補助線Ｌ２の終点と一致）、第二補助線Ｌ２の始点の３点の位置座標に基づいて、三角関数により計測対象角を算出すればよい。
【００７６】
制御部４１は、算出された計測結果（コブ角の値）を表示部４３のモニタ画面に表示させる。
【００７７】
制御部４１は、第一補助線Ｌ１及び第二補助線Ｌ２と、計測結果表示領域６１とを結ぶ引出し線６３を表示部４３のモニタ画面に描画する（図１１（ｅ）参照）。また、制御部４１は、計測対象角を明示するために、角度の存在を示す角度表示線６２，６４を描画する（図１１（ｅ）、図１２（ａ）、図１２（ｂ）参照）。
【００７８】
次に、動作を説明する。
図１０は、画像計測装置４０において実行される画像計測処理βを示すフローチャートである。この処理は、制御部４１のＣＰＵと、ＲＯＭ４５に記憶されているプログラムとの協働によるソフトウェア処理によって実現される。
【００７９】
まず、操作部４２からの操作により、計測対象となる正面脊椎画像の画像ファイル３６１が選択され、制御部４１の制御に従って、通信部４４により、画像サーバ装置３０に対して、選択された正面脊椎画像の画像ファイル３６１の取得要求が送信される。そして、制御部４１により、通信部４４を介して、画像サーバ装置３０から正面脊椎画像の画像ファイル３６１が取得される（ステップＣ１）。そして、制御部４１により、取得された正面脊椎画像の画像ファイル３６１に基づいて、表示部４３のモニタ画面に正面脊椎画像が表示される（ステップＣ２）。
【００８０】
次に、図１１（ａ）に示すように、第一補助線Ｌ１の始点となる位置にマウスカーソルＭＣが置かれた状態でユーザにより操作部４２のマウスボタンが押下され、第一補助線Ｌ１の始点位置が指定されると、制御部４１により、マウスボタンが押下された位置に対応する画像座標系における座標が取得され、１点目の座標が決定される（ステップＣ３）。なお、図１１（ａ）には正面脊椎画像を破線で示したが、以下の図では省略する。
【００８１】
次に、図１１（ｂ）に示すように、第一補助線Ｌ１の終点となる位置にマウスカーソルＭＣが置かれた状態でユーザにより操作部４２のマウスボタンが押下され、第一補助線Ｌ１の終点位置が指定されると、制御部４１により、マウスボタンが押下された位置に対応する画像座標系における座標が取得され、２点目の座標が決定される（ステップＣ４）。
【００８２】
そして、制御部４１により、表示部４３のモニタ画面に表示された正面脊椎画像上に、１点目の座標（画像座標系）と２点目の座標（画像座標系）とを結ぶ第一補助線Ｌ１が描画される（ステップＣ５）。
【００８３】
次に、図１１（ｃ）に示すように、第二補助線Ｌ２の始点となる位置にマウスカーソルＭＣが置かれた状態でユーザにより操作部４２のマウスボタンが押下され、第二補助線Ｌ２の始点位置が指定されると、制御部４１により、マウスボタンが押下された位置に対応する画像座標系における座標が取得され、３点目の座標が決定される（ステップＣ６）。
【００８４】
次に、図１１（ｄ）に示すように、第二補助線Ｌ２の終点となる位置にマウスカーソルＭＣが置かれた状態でユーザにより操作部４２のマウスボタンが押下され、第二補助線Ｌ２の終点位置が指定されると、制御部４１により、マウスボタンが押下された位置に対応する画像座標系における座標が取得され、４点目の座標が決定される（ステップＣ７）。
【００８５】
そして、制御部４１により、表示部４３のモニタ画面に表示された正面脊椎画像上に、３点目の座標（画像座標系）と４点目の座標（画像座標系）とを結ぶ第二補助線Ｌ２が描画される（ステップＣ８）。
【００８６】
次に、制御部４１により、描画された第一補助線Ｌ１及び第二補助線Ｌ２に基づいて、第一補助線Ｌ１と第二補助線Ｌ２とのなす角度がコブ角として算出される（ステップＣ９）。具体的には、図９（ａ）〜（ｃ）を参照して説明したように、制御部４１により、各補助線の始点位置及び終点位置に基づいて、計測対象角が決定され、計測対象角が算出される。
【００８７】
次に、制御部４１により、算出された計測結果（コブ角の値）が表示部４３のモニタ画面に表示される（ステップＣ１０）。図１１（ｅ）に示す例では、計測結果表示領域６１にコブ角の値が「32.3°」と表示されている。計測結果表示領域６１の位置は、予め定められていてもよいし、第一補助線Ｌ１及び第二補助線Ｌ２の位置に応じて定められてもよい。例えば、画像座標系において、第一補助線Ｌ１及び第二補助線Ｌ２を描画するために指定された１点目〜４点目の座標のうち、ｘ座標の最小値と最大値、ｙ座標の最小値と最大値を算出し、各点により形成される矩形領域の中心位置に、計測結果表示領域６１の中心点が配置されるように計測結果を表示することとしてもよい。
【００８８】
次に、制御部４１により、第一補助線Ｌ１と第二補助線Ｌ２とが交差しているか否かが判断される（ステップＣ１１）。ここで、「交差」には、一方の補助線の端点が他方の補助線上にある場合も含むものとする。
【００８９】
第一補助線Ｌ１と第二補助線Ｌ２とが交差している場合には（ステップＣ１１；ＹＥＳ）、制御部４１により、第一補助線Ｌ１と第二補助線Ｌ２の交点の画像座標系における座標が取得される（ステップＣ１２）。そして、図１１（ｅ）に示すように、制御部４１により、交点から計測対象角側に弧状の角度表示線６２が描画される（ステップＣ１３）。図１１（ｅ）は、計測対象角が鋭角の場合の例であるが、計測対象角が鈍角の場合の例については、図１２（ａ）に示す。
【００９０】
一方、第一補助線Ｌ１と第二補助線Ｌ２とが交差していない場合には（ステップＣ１１；ＮＯ）、図１２（ｂ）に示すように、制御部４１により、第一補助線Ｌ１の終点（画像座標系）と第二補助線Ｌ２の終点（画像座標系）とを結ぶ直線状の角度表示線６４が描画される（ステップＣ１４）。
【００９１】
ステップＣ１３又はステップＣ１４の後、制御部４１により、計測結果表示領域６１の中心点の画像座標系における座標が取得される（ステップＣ１５）。
【００９２】
次に、制御部４１により、弧状の角度表示線６２又は直線状の角度表示線６４（画像座標系）と、計測結果表示領域６１の中心点（画像座標系）とを結ぶ引出し線６３が算出され（ステップＣ１６）、引出し線６３のうち、計測結果表示領域６１と重ならない部分が描画される（ステップＣ１７）。
【００９３】
次に、制御部４１により、画像処理条件を保存するか否かが判断される（ステップＣ１８）。例えば、操作部４２からの操作により、表示部４３のモニタ画面上で保存ボタンが選択された場合には、画像処理条件が保存される。
【００９４】
画像処理条件を保存する場合には（ステップＣ１８；ＹＥＳ）、制御部４１により、描画された第一補助線Ｌ１及び第二補助線Ｌ２の始点及び終点を示す座標（画像座標系）、計測結果（コブ角の値）、計測結果の表示位置を示す座標（画像座標系）、引出し線６３の始点及び終点を示す座標（画像座標系）等の画像処理条件が画像サーバ装置３０に送信される（ステップＣ１９）。画像処理条件を保存しない場合には（ステップＣ１８；ＮＯ）、そのまま処理が終了する。
以上で、画像計測処理βが終了する。
【００９５】
以上説明したように、第２の実施の形態によれば、角度表示線６２，６４と計測結果表示領域６１とを引出し線６３で結ぶことにより、第一補助線Ｌ１及び第二補助線Ｌ２のなす角度と計測結果とを対応付けるので、角度の計測における操作性を向上させるとともに、誤診を防止することができる。
【００９６】
また、医用画像上に第一補助線Ｌ１、第二補助線Ｌ２、角度表示線６２，６４、計測結果及び引出し線６３が描画された状態で紙やフィルムに出力した場合にも、第一補助線Ｌ１及び第二補助線Ｌ２と計測結果との対応関係を認識することができる。
【００９７】
図１３（ａ）及び（ｂ）を参照して、計測結果として、補助線Ｌ１１と補助線Ｌ１２とのなす角度、及び、補助線Ｌ２１と補助線Ｌ２２とのなす角度が表示される場合を説明する。図１３（ａ）に示すように、計測結果表示領域７１に補助線Ｌ１１と補助線Ｌ１２とのなす角度が表示されるとともに、弧状の角度表示線７２及び引出し線７３が描画される。また、計測結果表示領域７４に補助線Ｌ２１と補助線Ｌ２２とのなす角度が表示されるとともに、弧状の角度表示線７５及び引出し線７６が描画される。
【００９８】
この状態で、図１３（ｂ）に示すように、補助線Ｌ１１及び補助線Ｌ１２からなる補助線対と、補助線Ｌ２１及び補助線Ｌ２２からなる補助線対との位置を入れ替えた場合、補助線Ｌ１１及び補助線Ｌ１２からなる補助線対と計測結果表示領域７１とは引出し線７３により対応付けられており、補助線Ｌ２１及び補助線Ｌ２２からなる補助線対と計測結果表示領域７４とは引出し線７６により対応付けられているため、対応関係を一目で認識することができる。
【００９９】
［第３の実施の形態］
次に、本発明を適用した第３の実施の形態について説明する。
第３の実施の形態における医用画像システムは、第１の実施の形態に示した医用画像システム１００と同様の構成によってなるため、同一の構成部分については同一の符号を付し、その構成については図示及び説明を省略する。以下、第３の実施の形態に特徴的な構成及び処理について説明する。
【０１００】
第３の実施の形態では、脊椎の圧迫骨折を診断する場合について説明する。脊椎の圧迫骨折を診断する際には、図１４に示すように、脊椎を人体の側面から撮影した画像（以下、側面脊椎画像という。）をモニタ画面に表示させ、計測対象となる椎体の人体の前面側に対応する椎体前部（Anterior）の軸方向の上下端を結ぶ補助線（以下、前部補助線という。）Ｌａ、人体の背面側に対応する椎体後部（Posterior）の軸方向の上下端を結ぶ補助線（以下、後部補助線という。）Ｌｐ、椎体前部と椎体後部の中間に位置する椎体中部（Center）の軸方向の上下端を結ぶ補助線（以下、中部補助線という。）Ｌｃを引き、前部補助線Ｌａの長さＡ、後部補助線Ｌｐの長さＰ、中部補助線Ｌｃの長さＣをそれぞれ測定する。そして、Ｃ／Ａ、Ｃ／Ｐ、Ａ／Ｐを算出し、Ｃ／Ａ、Ｃ／Ｐのいずれかが0.8未満の場合、又は、Ａ／Ｐが0.75未満の場合に圧迫骨折と判定する。
【０１０１】
画像サーバ装置３０の記憶部３６には、画像ファイル３６１として、側面脊椎画像のファイルが保存されている。画像処理条件ファイル３６２には、更に、図１５に示すように、計測対象椎体の人体の前面側に対応する椎体前部の軸方向の長さをＡ、人体の背面側に対応する椎体後部の軸方向の長さをＰ、椎体前部と椎体後部の中間に位置する椎体中部の軸方向の長さをＣとして、Ｃ／Ａ、Ｃ／Ｐ及びＡ／Ｐを算出した計測結果も含まれる。
【０１０２】
画像計測装置４０の操作部４２は、表示部４３のモニタ画面に表示された側面脊椎画像においてＣ／Ａ、Ｃ／Ｐ及びＡ／Ｐの計測用の補助線を描画する位置を指定する際に用いられる。表示部４３は、側面脊椎画像等の医用画像を表示する。
【０１０３】
制御部４１は、側面脊椎画像の画像ファイル３６１を取得し、表示部４３のモニタ画面に側面脊椎画像を表示させる。
【０１０４】
制御部４１は、操作部４２のマウスからの操作に基づいて、表示部４３のモニタ画面に表示された側面脊椎画像上に、前部補助線Ｌａ、中部補助線Ｌｃ、後部補助線Ｌｐを順に描画する（図１８参照）。
【０１０５】
制御部４１は、描画された各補助線の長さに基づいて、Ｃ／Ａ、Ｃ／Ｐ及びＡ／Ｐを算出する。具体的には、制御部４１は、
Ｃ／Ａ＝（中部補助線Ｌｃの長さ）／（前部補助線Ｌａの長さ）
Ｃ／Ｐ＝（中部補助線Ｌｃの長さ）／（後部補助線Ｌｐの長さ）
Ａ／Ｐ＝（前部補助線Ｌａの長さ）／（後部補助線Ｌｐの長さ）
により、各値を算出する。
【０１０６】
制御部４１は、算出された計測結果（Ｃ／Ａ、Ｃ／Ｐ及びＡ／Ｐの値）を表示部４３のモニタ画面に表示させる。
【０１０７】
制御部４１は、前部補助線Ｌａ、中部補助線Ｌｃ及び後部補助線Ｌｐの補助線描画領域８２と、計測結果表示領域８１とを結ぶ引出し線８３を表示部４３のモニタ画面に描画する（図１８参照）。
【０１０８】
次に、動作を説明する。
図１６は、画像計測装置４０において実行される画像計測処理γを示すフローチャートである。この処理は、制御部４１のＣＰＵと、ＲＯＭ４５に記憶されているプログラムとの協働によるソフトウェア処理によって実現される。
【０１０９】
まず、操作部４２からの操作により、計測対象となる側面脊椎画像の画像ファイル３６１が選択され、制御部４１の制御に従って、通信部４４により、画像サーバ装置３０に対して、選択された側面脊椎画像の画像ファイル３６１の取得要求が送信される。そして、制御部４１により、通信部４４を介して、画像サーバ装置３０から側面脊椎画像の画像ファイル３６１が取得される（ステップＤ１）。そして、制御部４１により、取得された側面脊椎画像の画像ファイル３６１に基づいて、表示部４３のモニタ画面に側面脊椎画像が表示される（ステップＤ２）。
【０１１０】
次に、図１７（ａ）に示すように、計測対象椎体の椎体前部の軸方向上端にマウスカーソルＭＣが置かれた状態でユーザにより操作部４２のマウスボタンが押下され、椎体前部の上端位置が指定されると、制御部４１により、マウスボタンが押下された位置に対応する画像座標系における座標が取得され、１点目の座標が決定される（ステップＤ３）。なお、図１７（ａ）には側面脊椎画像を破線で示したが、以下の図では省略する。
【０１１１】
次に、図１７（ｂ）に示すように、椎体前部の軸方向下端にマウスカーソルＭＣが置かれた状態でユーザにより操作部４２のマウスボタンが押下され、椎体前部の下端位置が指定されると、制御部４１により、マウスボタンが押下された位置に対応する画像座標系における座標が取得され、２点目の座標が決定される（ステップＤ４）。
【０１１２】
そして、制御部４１により、表示部４３のモニタ画面に表示された側面脊椎画像上に、１点目の座標（画像座標系）と２点目の座標（画像座標系）とを結ぶ前部補助線Ｌａが描画される（ステップＤ５）。
【０１１３】
次に、図１７（ｃ）に示すように、計測対象椎体の椎体中部の軸方向上端にマウスカーソルＭＣが置かれた状態でユーザにより操作部４２のマウスボタンが押下され、椎体中部の上端位置が指定されると、制御部４１により、マウスボタンが押下された位置に対応する画像座標系における座標が取得され、３点目の座標が決定される（ステップＤ６）。
【０１１４】
次に、図１７（ｄ）に示すように、椎体中部の軸方向下端にマウスカーソルＭＣが置かれた状態でユーザにより操作部４２のマウスボタンが押下され、椎体中部の下端位置が指定されると、制御部４１により、マウスボタンが押下された位置に対応する画像座標系における座標が取得され、４点目の座標が決定される（ステップＤ７）。
【０１１５】
そして、制御部４１により、表示部４３のモニタ画面に表示された側面脊椎画像上に、３点目の座標（画像座標系）と４点目の座標（画像座標系）とを結ぶ中部補助線Ｌｃが描画される（ステップＤ８）。
【０１１６】
次に、図１７（ｅ）に示すように、計測対象椎体の椎体後部の軸方向上端にマウスカーソルＭＣが置かれた状態でユーザにより操作部４２のマウスボタンが押下され、椎体後部の上端位置が指定されると、制御部４１により、マウスボタンが押下された位置に対応する画像座標系における座標が取得され、５点目の座標が決定される（ステップＤ９）。
【０１１７】
次に、図１７（ｆ）に示すように、椎体後部の軸方向下端にマウスカーソルＭＣが置かれた状態でユーザにより操作部４２のマウスボタンが押下され、椎体後部の下端位置が指定されると、制御部４１により、マウスボタンが押下された位置に対応する画像座標系における座標が取得され、６点目の座標が決定される（ステップＤ１０）。
【０１１８】
そして、制御部４１により、表示部４３のモニタ画面に表示された側面脊椎画像上に、５点目の座標（画像座標系）と６点目の座標（画像座標系）とを結ぶ後部補助線Ｌｐが描画される（ステップＤ１１）。
【０１１９】
次に、制御部４１により、描画された前部補助線Ｌａ、中部補助線Ｌｃ、後部補助線Ｌｐの長さに基づいて、Ｃ／Ａ、Ｃ／Ｐ及びＡ／Ｐが算出される（ステップＤ１２）。
【０１２０】
次に、制御部４１により、表示部４３のモニタ画面に計測結果（Ｃ／Ａ、Ｃ／Ｐ及びＡ／Ｐの値）が表示される（ステップＤ１３）。図１８に示す例では、計測結果表示領域８１に、Ｃ／Ａ、Ｃ／Ｐ及びＡ／Ｐの値が「Ｃ／Ａ  0.93、Ｃ／Ｐ  0.88、Ａ／Ｐ  0.95」と表示されている。計測結果表示領域８１の位置は、予め定められていてもよいし、前部補助線Ｌａ、中部補助線Ｌｃ及び後部補助線Ｌｐの位置に応じて定められてもよい。例えば、画像座標系において、前部補助線Ｌａ、中部補助線Ｌｃ及び後部補助線Ｌｐを描画するために指定された１点目〜６点目の座標のうち、ｘ座標の最小値と最大値、ｙ座標の最小値と最大値を算出し、各点により形成される矩形領域を補助線描画領域８２とし、補助線描画領域８２の中心点から予め定められた方向に予め定められた距離だけ離れた位置に、計測結果表示領域８１の中心点が配置されるように計測結果を表示することとしてもよい。
【０１２１】
次に、制御部４１により、前部補助線Ｌａ、中部補助線Ｌｃ及び後部補助線Ｌｐの補助線描画領域８２の中心点の画像座標系における座標が取得される（ステップＤ１４）。次に、制御部４１により、計測結果表示領域８１の中心点の画像座標系における座標が取得される（ステップＤ１５）。
【０１２２】
次に、制御部４１により、補助線描画領域８２の中心点（画像座標系）と計測結果表示領域８１の中心点（画像座標系）とを結ぶ引出し線８３が算出され（ステップＤ１６）、引出し線８３のうち、補助線描画領域８２及び計測結果表示領域８１と重ならない部分が描画される（ステップＤ１７）。
【０１２３】
次に、制御部４１により、画像処理条件を保存するか否かが判断される（ステップＤ１８）。例えば、操作部４２からの操作により、表示部４３のモニタ画面上で保存ボタンが選択された場合には、画像処理条件が保存される。
【０１２４】
画像処理条件を保存する場合には（ステップＤ１８；ＹＥＳ）、制御部４１により、描画された各補助線の始点及び終点を示す座標（画像座標系）、計測結果（Ｃ／Ａ、Ｃ／Ｐ及びＡ／Ｐの値）、計測結果の表示位置を示す座標（画像座標系）、引出し線８３の始点及び終点を示す座標（画像座標系）等の画像処理条件が画像サーバ装置３０に送信される（ステップＤ１９）。画像処理条件を保存しない場合には（ステップＤ１８；ＮＯ）、そのまま処理が終了する。
以上で、画像計測処理γが終了する。
【０１２５】
以上説明したように、第３の実施の形態によれば、補助線描画領域８２と計測結果表示領域８１とを引出し線８３で結ぶことにより、補助線描画領域８２内の各補助線と計測結果とを対応付けるので、Ｃ／Ａ、Ｃ／Ｐ及びＡ／Ｐの計測における操作性を向上させるとともに、誤診を防止することができる。
【０１２６】
また、医用画像上に前部補助線Ｌａ、中部補助線Ｌｃ、後部補助線Ｌｐ、計測結果及び引出し線８３が描画された状態で紙やフィルムに出力した場合にも、前部補助線Ｌａ、中部補助線Ｌｃ、後部補助線Ｌｐと計測結果との対応関係を認識することができる。
【０１２７】
なお、第３の実施の形態では、図１８に示すように、補助線描画領域８２の中心点と計測結果表示領域８１の中心点とを結ぶ引出し線８３を描画することとしたが、図１９に示すように、中部補助線Ｌｃの中点と計測結果表示領域８１の中心点とを結ぶ引出し線８３を描画することとしてもよい。
【０１２８】
なお、上記各実施の形態における記述は、本発明に係る医用画像システムの一例であり、これに限定されるものではない。システムを構成する各装置の細部構成及び細部動作に関しても適宜変更可能である。
【０１２９】
例えば、上記各実施の形態では、医用画像上の距離を算出する場合、正面脊椎画像からコブ角を算出する場合、側面脊椎画像からＣ／Ａ、Ｃ／Ｐ及びＡ／Ｐを算出する場合について説明したが、計測対象とする医用画像や計測対象値については、あらゆるものに適用可能である。
【０１３０】
［骨頭下降率］
上腕骨頭及び関節窩を含む肩画像から骨頭下降率を算出する場合には、関節窩の上端を通る水平な補助線、関節窩の下端を通る水平な補助線、上腕骨頭の下端を通る水平な補助線を描画し、関節窩の上端を通る補助線と関節窩の下端を通る補助線との距離に対する関節窩の下端を通る補助線と上腕骨頭の下端を通る補助線との距離の割合（％）を算出するが、各補助線の描画領域と計測結果表示領域とを結ぶ引出し線を描画することとしてもよい。
【０１３１】
［シャープ角］
左右の股関節部を人体の前面側から撮影した股関節画像からシャープ角を算出する場合には、左右の涙痕下端を通る基準補助線、右涙痕下端と右臼蓋外側縁とを通る右斜め補助線、左涙痕下端と左臼蓋外側縁とを通る左斜め補助線を描画し、基準補助線と右斜め補助線とのなす角度を右シャープ角として算出し、基準補助線と左斜め補助線とのなす角度を左シャープ角として算出するが、右シャープ角及び左シャープ角に対応する角部分に角度表示線を表示し、右シャープ角及び左シャープ角のそれぞれについて、角度表示線と計測結果表示領域とを結ぶ引出し線を描画することとしてもよい。
【０１３２】
［ＣＥ角］
左右の股関節部を人体の前面側から撮影した股関節画像からＣＥ角を算出する場合には、左右の涙痕下端を通る基準補助線、右大腿骨頭の中心を通り基準補助線に垂直な右垂直補助線、右大腿骨頭の中心と右臼蓋外側縁とを通る右斜め補助線、左大腿骨頭の中心を通り基準補助線に垂直な左垂直補助線、左大腿骨頭の中心と左臼蓋外側縁とを通る左斜め補助線を描画し、右垂直補助線と右斜め補助線とのなす角度を右ＣＥ角として算出し、左垂直補助線と左斜め補助線とのなす角度を左ＣＥ角として算出するが、右ＣＥ角及び左ＣＥ角に対応する角部分に角度表示線を表示し、右ＣＥ角及び左ＣＥ角のそれぞれについて、角度表示線と計測結果表示領域とを結ぶ引出し線を描画することとしてもよい。
【０１３３】
［ＡＨＩ］
左右の股関節部を人体の前面側から撮影した股関節画像からＡＨＩを算出する場合には、左右の涙痕下端を通る基準補助線Ｖ１、右大腿骨頭外側端を通り基準補助線Ｖ１に垂直な垂直補助線Ｖ２、右臼蓋縁外側端を通り基準補助線Ｖ１に垂直な垂直補助線Ｖ３、右大腿骨頭内側端を通り基準補助線Ｖ１に垂直な垂直補助線Ｖ４、左大腿骨頭外側端を通り基準補助線Ｖ１に垂直な垂直補助線Ｖ５、左臼蓋縁外側端を通り基準補助線Ｖ１に垂直な垂直補助線Ｖ６、左大腿骨頭内側端を通り基準補助線Ｖ１に垂直な垂直補助線Ｖ７を描画し、垂直補助線Ｖ２と垂直補助線Ｖ４との距離に対する垂直補助線Ｖ３と垂直補助線Ｖ４との距離の割合（％）を右ＡＨＩとして算出し、垂直補助線Ｖ５と垂直補助線Ｖ７との距離に対する垂直補助線Ｖ６と垂直補助線Ｖ７との距離の割合（％）を左ＡＨＩとして算出するが、各補助線の描画領域と計測結果表示領域とを結ぶ引出し線を描画することとしてもよい。
【０１３４】
［横倉法］
足部を側面側から撮影した足立位側面画像において横倉法による計測を行う場合には、内側種子骨の下縁位置と踵骨隆起端位置とを結ぶ基準補助線Ｖ１１を描画し、距骨と舟状骨の関節の中点位置、舟状骨と楔状骨の関節の中点位置、楔状骨と中足骨の関節の中点位置、踵立方関節の前下端位置、立方骨の下縁位置、第五中足骨の下縁位置のそれぞれを一端とし、基準補助線Ｖ１１上の点を他端とする、基準補助線Ｖ１１に垂直な垂直補助線Ｖ１２，Ｖ１３，Ｖ１４，Ｖ１５，Ｖ１６，Ｖ１７を描画し、垂直補助線Ｖ１２〜Ｖ１７の長さ、及び、基準補助線Ｖ１１の長さに対する各垂直補助線Ｖ１２〜Ｖ１７の長さの割合（％）をそれぞれ算出するが、各補助線の描画領域と計測結果表示領域とを結ぶ引出し線を描画することとしてもよい。
【０１３５】
以上の説明では、各処理を実行するためのプログラムを格納したコンピュータ読み取り可能な媒体としてＲＯＭを使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することも可能である。また、プログラムのデータを通信回線を介して提供する媒体として、キャリアウェーブ（搬送波）を適用することとしてもよい。
【図面の簡単な説明】
【０１３６】
【図１】医用画像システムのシステム構成図である。
【図２】画像サーバ装置の機能的構成を示すブロック図である。
【図３】画像計測装置の機能的構成を示すブロック図である。
【図４】画像サーバ装置において実行される画像提供処理を示すフローチャートである。
【図５】画像計測装置において実行される画像計測処理αを示すフローチャートである。
【図６】（ａ）は、補助線の始点を指定する際の画面例である。（ｂ）は、補助線の終点を指定する際の画面例である。（ｃ）は、引出し線が描画された状態の画面例である。
【図７】（ａ）は、補助線の始点と計測結果表示領域の中心点とを結ぶ引出し線が描画された状態の画面例である。（ｂ）は、補助線の終点と計測結果表示領域の中心点とを結ぶ引出し線が描画された状態の画面例である。
【図８】コブ角を説明するための図である。
【図９】計測対象角の決定方法を説明するための図である。
【図１０】画像計測装置において実行される画像計測処理βを示すフローチャートである。
【図１１】（ａ）は、第一補助線の始点を指定する際の画面例である。（ｂ）は、第一補助線の終点を指定する際の画面例である。（ｃ）は、第二補助線の始点を指定する際の画面例である。（ｄ）は、第二補助線の終点を指定する際の画面例である。（ｅ）は、角度表示線及び引出し線が描画された状態の画面例である。
【図１２】（ａ）は、計測対象角が鈍角の場合の角度表示線及び引出し線が描画された状態の画面例である。（ｂ）は、第一補助線と第二補助線とが交差していない場合の角度表示線及び引出し線が描画された状態の画面例である。
【図１３】（ａ）は、計測結果が複数表示される場合の例である。（ｂ）は、２組の補助線対の位置を入れ替えた場合の例である。
【図１４】脊椎を人体の側面から撮影した画像の例である。
【図１５】計測対象椎体の椎体前部の軸方向の長さ、椎体後部の軸方向の長さ、椎体中部の軸方向の長さを示す図である。
【図１６】画像計測装置において実行される画像計測処理γを示すフローチャートである。
【図１７】（ａ）は、椎体前部の軸方向上端を指定する際の画面例である。（ｂ）は、椎体前部の軸方向下端を指定する際の画面例である。（ｃ）は、椎体中部の軸方向上端を指定する際の画面例である。（ｄ）は、椎体中部の軸方向下端を指定する際の画面例である。（ｅ）は、椎体後部の軸方向上端を指定する際の画面例である。（ｆ）は、椎体後部の軸方向下端を指定する際の画面例である。
【図１８】補助線描画領域の中心点と計測結果表示領域の中心点とを結ぶ引出し線が描画された状態の画面例である。
【図１９】中部補助線の中点と計測結果表示領域の中心点とを結ぶ引出し線が描画された状態の画面例である。
【図２０】従来における問題点を説明するための図である。
【符号の説明】
【０１３７】
１０  ＲＩＳ
２０  モダリティ
３０  画像サーバ装置
３１  制御部
３２  操作部
３３  表示部
３４  通信部
３５  ＲＯＭ
３６  記憶部
３６１  画像ファイル
３６２  画像処理条件ファイル
３６３  ＤＢ
３６４  画像テーブル
３６５  画像処理条件テーブル
３７  バス
４０  画像計測装置
４１  制御部
４２  操作部
４３  表示部
４４  通信部
４５  ＲＯＭ
４６  記憶部
４７  バス
５１  計測結果表示領域
５２  引出し線
６１  計測結果表示領域
６２  角度表示線
６３  引出し線
６４  角度表示線
７１  計測結果表示領域
７２  角度表示線
７３  引出し線
７４  計測結果表示領域
７５  角度表示線
７６  引出し線
８１  計測結果表示領域
８２  補助線描画領域
８３  引出し線
１００  医用画像システム
Ｎ  ネットワーク
ＭＣ  マウスカーソル
Ｌ  補助線
Ｌ１  第一補助線
Ｌ２  第二補助線
Ｌａ  前部補助線
Ｌｃ  中部補助線
Ｌｐ  後部補助線
【図１】
2009232982.tif 000003
【図２】
2009232982.tif 000004
【図３】
2009232982.tif 000005
【図４】
2009232982.tif 000006
【図５】
2009232982.tif 000007
【図６】
2009232982.tif 000008
【図７】
2009232982.tif 000009
【図８】
2009232982.tif 000010
【図９】
2009232982.tif 000011
【図１０】
2009232982.tif 000012
【図１１】
2009232982.tif 000013
【図１２】
2009232982.tif 000014
【図１３】
2009232982.tif 000015
【図１４】
2009232982.tif 000016
【図１５】
2009232982.tif 000017
【図１６】
2009232982.tif 000018
【図１７】
2009232982.tif 000019
【図１８】
2009232982.tif 000020
【図１９】
2009232982.tif 000021
【図２０】
2009232982.tif 000022